(57)【要約】【課題】体重減少ガイダンス及び活動追跡をモバイル形式で供給する統合システム。【解決手段】統合システムは、モバイル機器によってホストされる体重減少プログラムを有する。体重減少プログラムは、第１のアプリケーションウィンドウに可視的に描写される体重減少予測モデルに従って参加者を目標体重に導くためのエネルギー摂取処方を有する。モバイル機器を、定期的に体重更新を提供するために重量センサと組み合わせることができる。モバイル機器を、推奨活動目標との比較のための活動レベルを第２のアプリケーションウィンドウに表示するカロリー消費量測定装置、例えば、ステップカウンタと組み合わせることができる。体重減少プログラムは、プログラムの持続時間中の毎日の活動レベルを上げながら人が持続可能な体重減少を実現するのに役に立つために構成された複数の段階に及ぶ。【選択図】図２
2020513119.tif 000002
【特許請求の範囲】
【請求項１】
ユーザに体重減少ガイダンスを提供するシステムであって、
重量センサと、
グラフィカルユーザインタフェースを有するモバイル機器と、
前記モバイル機器及び前記重量センサのうちの少なくとも一つに操作的に結合されたプロセッサであって、実行の際に、
ユーザが選択した目標の体重減少に部分的に基づいてユーザの体重減少予測モデルにアクセスするステップと、
前記体重減少予測モデルのグラフィック描写及び前記重量センサによって経時的に測定された複数の体重測定を、前記モバイル機器により前記グラフィカルユーザインタフェースの第１のアプリケーションウィンドウに表示させるステップであって、前記グラフィック描写は、前記第１のアプリケーションウィンドウの最近の体重測定に対する実行フラグを有し、前記実行フラグは、前記体重減少予測モデルとの適合の程度に基づいて複数のパフォーマンスフラグの中から選択される、ステップと、
を実行する命令を有するプロセッサと、
を備えるシステム。
【請求項２】
前記体重減少予測モデルは、順守域を有し、前記複数の実行フラグは、最近の体重測定が前記順守域の範囲内にあることを示す第１のフラグを含む請求項１に記載のシステム。
【請求項３】
前記複数の実行フラグは、最近の体重測定が前記順守域の範囲内にあるが前記順守域の上限から予め決定された距離の範囲内にあることを示す第２のフラグを含む請求項２に記載のシステム。
【請求項４】
前記複数の実行フラグは、最近の体重測定が前記順守域の範囲内にあるが直前に描写された体重測定以上であることを示す第２のフラグを含む請求項２に記載のシステム。
【請求項５】
前記複数の実行フラグは、最近の体重測定が前記順守域より上であるが基準となる体重減少率より高い測定された体重減少率を表すことを示す第３のフラグを含む請求項２に記載のシステム。
【請求項６】
前記複数の実行フラグは、最近の体重測定が前記順守域の範囲内にないことを示す第３のフラグを含む請求項２に記載のシステム。
【請求項７】
前記プロセッサは、最近の描写された体重測定に対する実行フラグに基づいて複数のフィードバックメッセージの中から前記プロセッサにより選択されたフィードバックメッセージを前記グラフィカルユーザインタフェースによって描写させるように更に操作可能である請求項１に記載のシステム。
【請求項８】
前記体重減少予測モデルは、ネットワークを介して前記モバイル機器に接続されたリモートサーバによって決定される請求項１に記載のシステム。
【請求項９】
前記モバイル機器は、スマートフォンであり、前記重量センサは、前記モバイル機器と電気通信を行う電子体重計である請求項１に記載のシステム。
【請求項１０】
前記プロセッサは、推奨される歩数を第２のアプリケーションウィンドウに示すように更に適合される請求項１に記載のシステム。
【請求項１１】
前記モバイル機器は、第３のアプリケーションウィンドウにおけるユーザからの食物のログエントリを受け取るように更に操作可能である請求項１に記載のシステム。
【請求項１２】
前記プロセッサは、前記食物のログエントリをタンパク質の分量の値、糖質の分量の値及び脂質の分量の値に変換するように更に操作可能である請求項１１に記載のシステム。
【請求項１３】
前記プロセッサは、前記タンパク質の分量の値、前記糖質の分量の値及び前記脂質の分量の値を前記モバイル機器によって前記第３のアプリケーションウィンドウに示すように更に操作可能である請求項１２に記載のシステム。
【請求項１４】
前記プロセッサは、体重減少レポートをソーシャルメディアに公表するように更に操作可能である請求項１に記載のシステム。
【請求項１５】
前記体重減少レポートは、前記モバイル機器において複数の体重減少レポートから選択可能である請求項１４に記載のシステム。
【請求項１６】
ユーザに体重減少ガイダンスを提供するシステムであって、
重量センサと、
カロリー消費量測定装置と、
グラフィカルユーザインタフェースを有するモバイル機器と、
前記重量センサ、前記カロリー消費量測定装置及び前記モバイル機器のうちの少なくとも一つに操作的に結合されたプロセッサであって、実行の際に、
ユーザが選択した目標の体重減少に部分的に基づいてユーザに対する体重減少予測モデルを決定するステップと、
ユーザに示される第１の活動評価に基づいてユーザの最初の活動目標を決定するステップと、
前記体重減少予測モデル及び前記重量センサからの第１の複数の体重測定を、前記モバイル機器により第１のアプリケーションウィンドウに表示させるステップと、
前記最初の活動目標及び前記カロリー消費量測定装置からの実現された活動を、前記モバイル機器により第２のアプリケーションウィンドウに表示させるステップと、
前記体重減少予測モデルに関連する前記第１の複数の体重測定に部分的に基づいて第１の修正活動目標を決定するステップと、
前記第１の修正活動目標を、前記グラフィカルユーザインタフェースにより前記第２のアプリケーションウィンドウに表示させるステップと、
を実行する命令を有するプロセッサと、
を備えるシステム。
【請求項１７】
前記最初の活動目標は、最初の歩数目標であり、前記実現された活動は、平均歩数であり、前記第１の修正活動目標は、第１の修正歩数目標である請求項１６に記載のシステム。
【請求項１８】
前記第１の修正歩数目標は、前記体重減少予測モデルに適合する第１の複数の体重測定の各々に応答した前記最初の歩数目標の第１の割合の増加を表す請求項１７に記載のシステム。
【請求項１９】
前記第１の修正歩数目標は、前記体重減少予測モデルに適合する第１の複数の体重測定のうちの少なくとも一つに応答した、前記最初の歩数目標の前記第１の割合より低い前記最初の歩数目標の第２の割合の増加を表す請求項１８に記載のシステム。
【請求項２０】
前記プロセッサは、前記体重減少予測モデルに関連する第２の複数の体重測定に基づいて第２の修正歩数目標を決定するように更に構成された請求項１７に記載のシステム。
【請求項２１】
前記プロセッサは、ユーザが前記最初の歩数目標を達成したか否か及び前記体重減少予測モデルに関連する第２の複数の体重測定に基づいて第２の修正歩数目標を決定するように更に構成された請求項１７に記載のシステム。
【請求項２２】
前記第２の修正歩数目標は、
前記体重減少予測モデルに適合した前記第２の複数の体重測定の各々に応答した前記第１の修正歩数目標の第１の割合の増加と、
前記体重減少予測モデルに適合した前記第２の複数の体重測定の全てより少ないものに応答した、前記第１の修正歩数目標の第１の割合の増加より低い前記第１の修正歩数目標の第２の割合の増加と、
前記体重減少予測モデルに適合しない前記第２の複数の体重測定のうちの少なくとも一つに応答した前記第１の修正歩数目標のゼロの割合の増加とのうちの一つである請求項２０に記載のシステム。
【請求項２３】
前記プロセッサは、順守域及び前記第１の複数の体重測定のうちの最新のものに対する実行フラグを前記グラフィカルユーザインタフェースによって描写させるように更に構成された請求項１６に記載のシステム。
【請求項２４】
前記実行フラグは、複数の実行フラグの中から選択され、前記複数の実行フラグは、体重測定が順守域の範囲内にあることを示す第１のフラグ及び体重測定が順守域の範囲内にないことを示す第２のフラグを有する請求項２３に記載のシステム。
【請求項２５】
前記複数の実行フラグは、最近の体重測定が前記順守域の範囲内にあるが前記順守域の上限から予め決定された距離の範囲内にあることを示す第３のフラグを含む請求項２４に記載のシステム。
【請求項２６】
前記複数の実行フラグは、最近の体重測定が前記順守域の範囲内にあるが直前に描写された体重測定以上であることを示す第３のフラグを含む請求項２４に記載のシステム。
【請求項２７】
ユーザに体重減少ガイダンスを提供するシステムであって、
グラフィカルユーザインタフェース及びプロセッサを有するモバイル機器を備え、前記プロセッサは、実行の際に、
ユーザの生体データ及びユーザが選択した目標体重に基づいて体重減少予測モデルにアクセスするステップと、
前記体重減少予測モデルのグラフィック描写及び第１の段階の第１の複数の毎日の体重測定を前記グラフィカルユーザインタフェースによって示すステップと、
前記第１の段階の終了時に、ユーザに対する予め決定された体重減少の障害の影響を調べるために複数の質問を前記グラフィカルユーザインタフェースによって提供するステップと、
前記グラフィカルユーザインタフェースで受け取った前記複数の質問に対する回答に基づいて、ユーザに対する前記予め決定された体重減少の障害をランク付けするステップと、
前記体重減少予測モデルのグラフィック描写及び第２の段階の第１の複数の毎日の体重測定を前記グラフィカルユーザインタフェースによって示すステップと、
前記第２の段階のうちに、前記予め決定された体重減少の障害を克服するための定期的な計画を前記前記グラフィカルユーザインタフェースによって示し、前記定期的な計画は、前記プロセッサによる前記予め決定された体重減少の障害のランク付けに基づいてスケジュールされるステップと、
を前記モバイル機器に実行させる命令を有するシステム。
【請求項２８】
前記生体データは、年齢、性別、身長及び体重を含む請求項２７に記載のシステム。
【請求項２９】
前記予め決定された体重減少の障害は、食べ物の好み、活動の習慣、睡眠、ストレス及び食事習慣を含む請求項２７に記載のシステム。
【請求項３０】
前記プロセッサは、前記モバイル機器に組み込まれ、前記モバイル機器は、ウェアラブルデバイスと携帯用デバイスのうちの一方である請求項２７に記載のシステム。
【請求項３１】
前記プロセッサは、前記モバイル機器に対して遠隔設置されたクラウドサーバにおいてホストされる請求項２７に記載のシステム。
【請求項３２】
前記プロセッサは、最近の体重測定に対する実行フラグを前記グラフィカルユーザインタフェースによって示すように更に操作され、前記実行フラグは、前記体重減少予測モデルへの適合の程度に基づいて複数の実行フラグの中から選択される請求項２７に記載のシステム。
【請求項３３】
前記プロセッサは、ユーザに対する食事療法を前記グラフィカルユーザインタフェースによって示すように更に操作される請求項２７に記載のシステム。
【請求項３４】
前記食事療法は、所定の期間に亘るカロリー制限を含む請求項３３に記載のシステム。
【請求項３５】
前記食事療法は、複数のミールリプレイスメント及び食事量制限を含む請求項３３に記載のシステム。
【発明の詳細な説明】
【技術分野】
【０００１】
本発明は、体重管理及び活動追跡に関し、更に詳しくは、持続可能な体重減少及び健康的な生活習慣行動を実現する際に人の役に立つグラフィカルユーザインタフェースを有する統合システムに関する。
【背景技術】
【０００２】
肥満は、心臓病、高血圧及び糖尿病の増大したリスクを含む重大な健康リスクを示すものとして知られている。米国の疾病対策センターによれば、成人人口の約７０％が太りすぎ又は肥満体である。既知の健康リスク及び肥満の相対的な広がり（ｒｅｌａｔｉｖｅ  ｐｒｅｖａｌｅｎｃｅ）の観点から、ダイエットプログラム及び運動プログラムが近年より一層の注目を集めている。例えば、複数の市販のダイエットプログラムは、健康的な体重を得る際に最も重要な要因として食事療法の順守に重点を置く。これらのプログラムは、アトキンスダイエット、オーニッシュダイエット、ウェイトウォッチャーズダイエット及びゾーンダイエットを含む。しかしながら、多数の人は、規定された食事療法を順守するのが困難である。これらの状況において、人は、体重減少の目的を達成しない理由をしばしば理解しない。
【０００３】
他のプログラムは、急激な体重減少を重視する又は体重減少のための運動に大きく依存する。いわゆる「クイックウィン」体重減少プログラムは、短期間で体重を減少させるが、しばしば持続することができず、その結果、多くの人は、減少した体重を取り戻す。さらに、研究は、人は身体活動に関連したエネルギー消費を過大評価する傾向があるとともに運動後に食物を摂取して自身を報いる傾向があることを示した。トーマス、Ｄ．Ｍ等「なぜ人は規定された量の運動介入によって減量しないのか？エネルギーバランス解析」（Ｔｈｏｍａｓ，Ｄ．Ｍ．ｅｔ．ａｌ，”Ｗｈｙ  ｄｏ  ｉｎｄｉｖｉｄｕａｌｓ  ｎｏｔ  ｌｏｓｓ  ｍｏｒｅ  ｗｅｉｇｈｔ  ｆｒｏｍ  ａｎ  ｅｘｅｒｃｉｓｅ  ｉｎｔｅｒｖｅｎｔｉｏｎ  ａｔ  ａ  ｄｅｆｉｎｅｄ  ｄｏｓｅ？Ａｎ  Ｅｎｅｒｇｙ  Ｂａｌａｎｃｅ  Ａｎａｌｙｓｉｓ“）ｏｂｅｓｉｔｙ  Ｒｅｖｉｅｗｓ２０１２，１３：８３５〜４７。その結果、運動後に消費されるカロリー量が運動中に消費されるカロリー量より多くなる場合が多い。
【発明の概要】
【発明が解決しようとする課題】
【０００４】
近年、心臓、肺及び血液研究所（ｔｈｅ  Ｎａｔｉｏｎａｌ  Ｈｅａｒｔ，Ｌｕｎｇ，ａｎｄ  Ｂｌｏｏｄ  Ｉｎｓｔｉｔｕｔｅ）（米国の疾病対策センター内の研究機関）及び出資者は、成人の肥満に対処するためのガイドラインを確立した。これらのガイドラインは、ダイエット、運動及び行動修正に関する。「専門家パネルレポート：成人の体重超過及び肥満の管理のガイダンス（２０１３）」（“Ｅｘｐｅｒｔ  ｐａｎｅｌ  ｒｅｐｏｒｔ：ｇｕｉｄａｎｃｅｓ  （２０１３）  ｆｏｒ  ｔｈｅ  ｍａｎａｇｅｍｅｎｔ  ｏｆ  ｏｖｅｒｗｅｉｇｈｔ  ａｎｄ  ｏｂｅｓｉｔｙ  ｉｎ  ａｄｕｌｔｓ”）ｏｂｅｓｉｔｙ  ２０１４。少なくともこれらのガイドラインの観点から、使用を簡単にするとともに長期間の持続可能な体重減少を促進するように食事療法、運動及び行動修正を組み合わせるシステムが必要となる。特に、持続可能な体重減少及び健康的な生活習慣行動を実現する際に人の役に立つシステムにおいて上述したガイドラインの一部又は全てを提供する体重減少プログラムが引き続き必要となる。
【課題を解決するための手段】
【０００５】
一実施の形態による本発明は、体重減少ガイダンス及び活動追跡をモバイル形式で供給する統合システムを提供する。本実施の形態において、統合システムは、一つ以上のコンピュータ機器、場合によってはモバイル機器においてホストされるグラフィカルユーザインタフェースを有する。グラフィカルユーザインタフェースは、モバイル機器に可視的に描写される体重減少予測モデルに従って参加者を目標体重に導く。モバイル機器を、体重更新を定期的に、場合によっては毎日提供するために重量センサと組み合わせることができる。モバイル機器を、推奨活動目標との比較のための活動レベルを第２のアプリケーションウィンドウに表示するカロリー消費量測定装置、例えば、ステップカウンタと組み合わせることもできる。体重減少ガイダンスは、プログラムの持続時間中の毎日の活動レベルを上げながら人が持続可能な体重減少を実現するのに役に立つために構成された複数の段階に及ぶ。
【０００６】
一実施の形態において、グラフィカルユーザインタフェースは、体重減少予測モデル及び複数の体重測定を第１のアプリケーションウィンドウに視覚的に描写し、描写した体重測定のうちの最近のものは、実行フラグを有する。実行フラグは、体重減少予測モデルとの適合の程度に基づいて複数の実行フラグの中から選択される。例えば、体重減少予測モデルは、順守域を規定するための上限及び下限を有することができる。実行フラグは、体重測定が順守域の範囲内にあることを示す第１の、場合によっては緑色の実行フラグを含むことができる。実行フラグは、（ａ）体重測定が順守域の範囲内であるが直前に描写された体重測定以上であることを示す又は（ｂ）体重測定が順守域の範囲より上であるが基準となる体重減少率より高い測定された体重減少率を表すことを示す第２の、場合によっては黄色の実行フラグを有することができる。実行フラグは、体重測定が順守域の範囲内にないことを示す又は体重測定が順守域に接近しないことを示す第３の、場合によっては赤色の実行フラグを有してもよい。体重測定を、場合によってはモバイル機器に毎日自動的にプッシュするが、体重測定を手動で入力することができ、この場合、実行フラグは、例えば、異なる形状を有することができる。さらに、参加者は、共有されるコンテンツを制御することによって第１のアプリケーションウィンドウから直接ソーシャルメディアに体重減少結果を公表する機能を有する。例えば、参加者は、体重減少予測モデルの全体、体重減少予測モデルの一部又は当日の実行フラグを有する。
【０００７】
一実施の形態において、グラフィカルユーザインタフェースは、カロリー消費量測定装置によって測定される参加者の平均の毎日の歩数を第２のアプリケーションウィンドウに視覚的に描写し、さらに、第１の活動評価に基づく第１のステップ目標を描写する。最初の期間、場合によっては２週間の終わりに、第２のアプリケーションウィンドウは、第１の歩数目標を、体重減少予測モデルに関連する参加者の測定された体重の適合の程度に少なくとも部分的に基づく第２の歩数目標に置換することができる。例えば、第２の歩数目標は、最初の期間からの実行フラグの各々が第１の実行フラグであることに応答した第１の歩数目標の第１の割合の増加を有することができる。また、例えば、第２の歩数目標は、最初の期間からの実行フラグの少なくとも一つが第２の実行フラグであることに応答した、第１の割合の増加より少ない第２の割合の増加を有することができる。さらに、例えば、第２の歩数目標は、最初の期間からの実行フラグのいずれか一つが第３の実行フラグであることに応答して第１の歩数目標から変わらないままにすることができる。その後、第２のアプリケーションウィンドウは、先週の実行フラグに基づいてステップ目標を毎週修正することができる。
【０００８】
一実施の形態において、グラフィカルユーザインタフェースは、体重減少プログラムの一部としての予めプログラムされたフィードバックを提供し、予め決定されたフィードバックは、行動修正ガイダンスを提供するように構成される。本実施の形態において、予めプログラムされたフィードバックは、四つのカテゴリーのフィードバック：ＳｍａｒｔＴｉｐフィードバック、ＳｍａｒｔＬｏｓｓフィードバック、Ｍｉｌｅｓｔｏｎｅｓフィードバック及びＡｄ  ｈｏｃフィードバックを有する。上述したフィードバックの頻度は、予めプログラムされたフィードバックが予測可能となりすぎないようにするために可変である。例えば、ＳｍａｒｔＴｉｐフィードバックの頻度は、実行フラグに依存する。このフィードバックは、スケジュールされたフィードバックコンテンツを選択時に提供するユーザが選択可能なバナーとして第１のアプリケーションウィンドウに描写される。体重減少プログラムの終わり近くに、スケジュールされたフィードバックコンテンツは、最適な栄養、最適なスポーツ栄養又は健康及び美容に関連した製品に関するガイダンスを、所望の場合に体重減少プログラムを繰り返す機能と共に有することができる。
【０００９】
一実施の形態において、グラフィカルユーザインタフェースは、エネルギー摂取処方に従う食事量追跡を提供する。本実施の形態において、モバイル機器は、毎日の食料トラッカを有する別のアプリケーションウィンドウを有する。モバイル機器は、食物データをタンパク質部分、炭水化物部分及び脂質部分に変換する。そのような食料の分類の各々に対する集合部は、毎日の食事量の許容に関連させながらモバイル機器によって表示される。エネルギー摂取処方は、体重減少プログラムの最初から最後まで一定のままであるが、モバイル機器は、エネルギー摂取処方のバランスの取れた食事計画、減少炭水化物食品プラン及び減少脂質食品プランを提案する。
【００１０】
本発明のこれら及び他の特徴及び利点は、添付した図面及び添付した特許請求の範囲に従う発明の実施の形態の以下の説明から明らかになるであろう。
【００１１】
本発明の実施の形態を詳しく説明する前に、本発明は以下の記載で説明する又は図面に示す実施の形態に限定されないことを理解すべきである。本発明を、他の種々の実施の形態で実現してもよく、ここに明示的に開示しない他の方法で実現又は実施してもよい。ここで用いる表現及び用語は、説明のためのものであり、限定するものとみなすべきでない。「有する」及び「備える」並びにその変形の使用は、後に挙げられる項目及びそれと同等のもの並びに追加の項目及びそれと同等のものを含むことを意味する。さらに、種々の実施の形態の説明において列挙（ｅｎｕｍｅｒａｔｉｏｎ）を用いてもよい。列挙を用いることは、本発明を特定の順番又は構成要素の個数に限定するものと解釈すべきでない。また、列挙を用いることは、列挙したステップ又は構成要素に組み合わせる又は組み込むことができる他のステップ又は構成要素を本発明の範囲から除外するものと解釈すべきでない。
【図面の簡単な説明】
【００１２】
【図１】一実施の形態によるモバイル機器、体重計及びカロリー消費量測定装置を有する統合システムを示す。
【図２】図１の実施の形態によるモバイル機器の第１のアプリケーションウィンドウを示す。
【図３】モバイル機器により第１のアプリケーションウィンドウに表示するための実行フラグのテーブルを含む。
【図４】歩数目標を及び履歴歩数データを有するモバイル機器の第２のアプリケーションウィンドウを示す。
【図５】モバイル機器により第１のアプリケーションウィンドウに表示するための選択可能なＳｍａｒｔＴｉｐフィードバックバナーを示す。
【図６】選択可能なＳｍａｒｔＬｏｓｓフィードバックバナー及びその例を示すモバイル機器の第１のアプリケーションウィンドウを示す。
【図７】選択可能なＭｉｌｅｓｔｏｎｅフィードバックバナー及びその例を示すモバイル機器の第１のアプリケーションウィンドウを示す。
【図８】個別の体重減少データ及び目標設定を含むモバイル機器の第３のアプリケーションウィンドウを示す。
【図９】個別の指導及び保存されたＳｍａｒｔＬｏｓｓフィードバックを含むモバイル機器の第４のアプリケーションウィンドウを示す。
【図１０】食事計画に従う食事量追跡を含むモバイル機器の第５のアプリケーションウィンドウを示す。
【図１１】タンパク質、脂質及び炭水化物の毎日の推奨量を有する食事計画を含むモバイル機器の第６のアプリケーションウィンドウを示す。
【図１２】選択した食事計画の個別指導を示すモバイル機器の第６のアプリケーションウィンドウを示す。
【図１３】ソーシャルメディアで体重減少の進み具合を共有する機能を有するモバイル機器の第１のアプリケーションウィンドウの実施の形態を示す。
【図１４】体重減少の進み具合をソーシャルメディアで共有する図１３の実施の形態を示す。
【発明を実施するための形態】
【００１３】
本発明は、体重管理及び活動追跡に関し、更に詳しくは、持続可能な体重減少及び健康的な生活習慣行動を実現する際に人の役に立つグラフィカルユーザインタフェースを有する一つ以上のコンピュータ機器、場合によってはモバイル機器においてホストされる体重減少プログラムを有する統合システムに関する。以下は、一実施の形態のシステム概観（パートＩ）、体重減少プログラムの種々の段階及び関連の評価の説明（パートＩＩ）、体重減少追跡及び関連の実行フラグの説明（パートＩＩＩ）、行動目標及び行動追跡の管理の説明（パートＩＶ）、体重減少プログラムの一部として利用できる種々のカテゴリーのフィードバックの説明（パートＶ）、食事追跡支援の説明（パートＶＩ）並びにソーシャルメディアの共有機能の説明（パートＶＩＩ）である。
【００１４】
Ｉ．  統合システム概観
図１は、一実施の形態による本発明の体重減少プログラムをホストする統合システムを示す図である。本実施の形態によれば、システムは、コンピュータ機器１０と、体重計１２と、カロリー消費量測定装置１４と、コンピュータ機器１０、体重計１及びカロリー消費量測定装置１４のうちの少なくとも一つに操作的に結合されたプロセッサ１６と、を有する。本実施の形態において、プロセッサ１６は、コンピュータ機器１０に操作的に結合されるとともにコンピュータ機器１０の一部を形成する。他の実施の形態において、プロセッサ１６は、コンピュータ機器１０以外のものに操作的に結合される。例えば、プロセッサ１６は、クラウドサーバ又はクラウドサーバ１７のネットワークにおいて遠隔的にホストされる。さらに、例えば、プロセッサ１６は、体重計１２又はカロリー消費量測定装置１４に操作的に結合される。更に別の例では、プロセッサ１６は、異なる装置に存在する二つ以上のプロセッサ、例えば、モバイル機器１０に存在する一つのプロセッサ及びクラウドサーバ１７に存在する一つのプロセッサを有する。
【００１５】
図１にも示すように、コンピュータ機器１０、体重計１２、カロリー消費量測定装置１４及びクラウドサーバ１７は、一つ以上のネットワーク１８に接続される。一つ以上のネットワークは、Ｂｌｕｅｔｏｏｔｈ（登録商標）、Ｂｌｕｅｔｏｏｔｈ（登録商標）Ｓｍａｒｔ、Ｚｉｇｅｅ（登録商標）及びＷｉＦｉ（登録商標）の無線ネットワークのいずれかを有することができる。所望であれば他のネットワークを他の実施の形態で用いることができる。更に別の実施の形態において、四つの全ての構成要素より少なく構成要素がネットワークに接続される。例えば、一部の実施の形態において、体重計１２を、接続のない通常の体重計とする。これらの実施の形態において、体重計１２は、ネットワーク１８から切り離され、その結果、体重データは、後のパートＩＩで更に詳しく説明するように手動で入力される。
【００１６】
コンピュータ機器１０は、ユーザにコンテンツを表示するのに適合した任意の電子機器を有する。コンピュータ機器１０は、場合によっては、モバイル機器であり、例えば、スマートフォン、タブレット、２−ｉｎ−１ラップトップ又はスマートウォッチである。モバイル機器１０は、ディスプレイ２０と、入出力インタフェース２２と、内部プロセッサ１６と、内部メモリ２４と、を有する。本実施の形態において、入出力インタフェース２３は、タッチスクリーングラフィカルユーザインタフェースを有するが、他の実施の形態において、他のインタフェース、例えば、マウス、トラックパッド及び／又はキーボードを有する。メモリ２４は、プロセッサ１６によって実行されるときにプロセッサ１６によって体重減少プログラムを実行する間に所定の方法ステップを実行させる命令セットを有する。
【００１７】
カロリー消費量測定装置１４は、活動レベルを測定するのに適合した任意の装置を有する。説明する実施の形態において、カロリー消費量測定装置１４は、ウェアラブルデバイス、特に、内部ステップカウンタを有する腕時計を有する。他の実施の形態において、カロリー消費量測定装置１４は、アクティビティトラッカ、又は、衣類、例えば、ベルト、襟若しくはウエストバンドに取り付けられた歩数計を有する。更に別の実施の形態において、カロリー消費量測定装置１４は、モバイル機器１０に組み込まれ、この場合、システムは、活動レベルを測定するためのスタンドアロン機器を有しない。図１に示すように、カロリー消費量測定装置１４は、後にパートＩＶで説明するように活動レベルをモバイル機器１０に送信するために無線ネットワーク１８を介してモバイル機器１０に接続される。
【００１８】
最後に、体重計１２は、ユーザの体重を測定するのに適合した任意のはかりを有する。説明する実施の形態において、体重計１２は、体重を測定するとともにモバイル機器１０が経時的に体重を追跡できるようにするためにネットワーク１８を介してモバイル機器１０と同期をとるように適合されたデジタルスケールである。しかしながら、他の実施の形態において、体重計１２は、ネットワークを介してモバイル機器１０又は他の任意の機器と同期をとらない通常の体重計である。これらの実施の形態において、数値ディスプレイ２６からの体重データを、後にパートＩＩＩで十分に説明するようにモバイル機器１０に手動で入力することができる。
【００１９】
ＩＩ．  体重減少プログラムの概観
体重減少プログラムは、モバイル機器１０においてホストされ、後にパートＩＩＩで説明する体重減少コンポーネント及び後にパートＩＶで説明する活動追跡コンポーネントを有する。これらのコンポーネントを参照する前に、本実施の形態による体重減少プログラムの外観を述べる。他の実施の形態が本実施の形態と異なってもよいので、本実施の形態による体重減少プログラムは限定を行うものではない。
【００２０】
本実施の形態を参照すると、体重減少プログラムは、連続的な段階：ジャンプスタート段階、遷移段階、不動段階及び持続段階を有する。これらの段階は、本実施の形態の参加者によって延長されない場合には６カ月後に終了する体重減少プログラムを構成する。次に、各段階を説明する。
【００２１】
ジャンプスタート段階は、体重減少プログラムの第１の段階である。ジャンプスタート段階は、本実施の形態では４週間である第１の持続時間に及ぶ。ジャンプスタート段階は、体重減少の原理を強調するとともにカロリー制限した食事計画の順守が予測される体重減少を実現するのを期待できることを示す。例えば、ジャンプスタート段階は、ミールリプレイスメントシェイク（ｍｅａｌ  ｒｅｐｌａｃｅｍｅｎｔ  ｓｈａｋｅ）、場合によっては１日に二つのミールリプレイスメントへの大きな依存を有する。カロリー制限及びジャンプスタート段階の開始を決定するために、参加者は、年齢、性別、身長、現在の体重及び目標体重をモバイル機器１０のグラフィカルユーザインタフェースを用いて入力する。本実施の形態において、参加者は、妥当でない目標体重の選択を制限される。例えば、タッチスクリーンディスプレイ２０に描写されるスライダーバーは、現在の体重と、その一端（ｏｎｅ  ｅｎｄ  ｔｈｅｒｅｏｆ）及びその他端の（ａｔ  ｔｈｅ  ｏｔｈｅｒ  ｅｎｄ  ｔｈｅｒｅｏｆ）最小安全目標体重（例えば、現在の体重の８７．５％）と、を有する。スライダーバーの操作に応答して、プロセッサ１６は、全体的な毎日の食物の許容量の近似的な変化をディスプレイ２０に描写させる。（最小安全目標体重以上になるように）目標体重を下げるに従って、全体的な毎日の食物の許容量は減少する。（現在の体重以下になるように）目標体重を上げるに従って、全体的な毎日の食料の許容量は増加する。スライダーバーを操作することによって、複数の機能、例えば、適切な目標体重を選択することによって選定される小、中及び大が参加者に示される。
【００２２】
参加者からの上述したデータに基づいて、場合によっては他の全てのデータを除外して、クラウドサーバ１７は、体重減少予測モデルを生成する。ここで用いるように、「体重減少予測モデル」は、エネルギー摂取処方とエネルギー消費処方の一方又は両方を順守していると仮定する将来の体重又は体重減少の推定である。体重減少予測モデルは、参照により内容が全体的に組み込まれるＴｈｏｍａｓ，Ｄ．Ｍ．等によるＪ．Ｂｉｏｌ．Ｄｙｎ．２０１１，５（６）の５７９〜５９９頁の「人間の個別の体重変化を予測する簡単なモデル」（“Ａ  ｓｉｍｐｌｅ  ｍｏｄｅｌ  ｐｒｅｄｉｃｔｉｎｇ  ｉｎｄｉｖｉｄｕａｌ  ｗｅｉｇｈｔ  ｃｈａｎｇｅ  ｉｎ  ｈｕｍａｎｓ”）及びＴｈｏｍａｓ，Ｄ．Ｍ．等によるＡｍ，Ｊ．Ｃｌｉｎ．Ｎｕｔｒ．２０１０，９２（６）の１３２６〜１３３１頁の「体重減少中のエネルギー摂取を決定する計算モデル」（「Ａ  ｃｏｍｐｕｔａｔｉｏｎａｌ  ｍｏｄｅｌ  ｔｏ  ｄｅｔｅｒｍｉｎｅ  ｅｎｅｇｙ  ｉｎｔａｋｅ  ｄｕｒｉｎｇ  ｗｅｉｇｈｔ  ｌｏｓｓ」の刊行物に開示されるような検証された微分方程式に従ってクラウドサーバ１７によって決定される。クラウドサーバ１７は、体重減少予測モデルの決定の他に、認証の制御、装置統合の制御、コンテンツ更新の記憶及び管理並びに参加者データの記憶及び管理を行う。
【００２３】
体重減少予測モデルがクラウドサーバ１７によって決定されると、体重減少予測モデルは、モバイル機器１０に送信される。他の実施の形態において、体重減少予測モデルは、クラウドサーバ１７ではなくモバイル機器プロセッサ１６によって決定される。両方の実施の形態において、体重減少予測モデルは、モバイル機器１０によってホストされるアプリケーションプログラムの第１のアプリケーションウィンドウに視覚的に表示される。図２を参照すると、第１のアプリケーションウィンドウを示している。第１のアプリケーションウィンドウ３０は、体重減少予測モデルを曲線３２として描写する。本例において、曲線は、６カ月での約２００ポンドから約１７５ポンドまでの予測される減少を表す。体重減少予測モデルは、順守域３４を更に有する。順守域３４は、上限３６及び下限３８によって範囲が定められる。上限３６及び下限３８は、Ｔｈｏｍａｓ等（２０１１）に記載された微分方程式の検証によって取得した平均絶対誤差により上部曲線及び下部曲線を調整することによって決定される。参加者は、測定された体重がこの順守域の範囲内にある場合に追従者（ａｄｈｅｒｅｎｔ）であるとみなされる。
【００２４】
遷移段階は、体重減少プログラムの第２の段階である。遷移段階は、本実施の形態では８週間である第２の持続時間に及ぶ。遷移段階は、エネルギー摂取処方を継続するがレソー（ｌｅｓｓｏｒ）がミールリプレイスメントシェイク、場合によってはこの段階の１日ごとに一つのミールリプレイスメントシェイクに信頼を置きながら参加者による体重減少の障害の理解及び克服に重点を置く。遷移段階は、健康アセスメント、例えば、Ｈｕｎｔ等による「健康アセスメントのシステム及び方法」の表題がつけられた米国特許出願第２０１５／０２２０６９７号に開示された健康アセスメントをモバイル機器に示すことを有し、参照により全体をここに組み込む。健康アセスメントは、参加者のダイエット、身体活動、習慣、ストレス及び食事習慣に関連する質問を含む。その後、アセスメントは、参加者の健康に関連する推奨の順守に対する障害の優先順位付けを行う。最初に、障壁は、初期設定の優先順位：食べ物の好み、活動の習慣、睡眠、ストレス及び食事習慣を含む。この遷移段階の間のＳｍａｒｔＴｉｐフィードバック及びＳｍａｒｔＬｏｓｓフィードバックの順番を、これらの障害の優先順位に基づいて決定する。参加者が全ての障害を経験する又は障害を経験しない場合、参加者は、初期設定の優先順位に従ったフィードバックを受け取る。参加者が一部の障害のみを経験する場合、初期設定の障壁のランク付けを維持しながら、障害として識別されたテーマに最初に取り組み、障害として識別されなかったテーマに最後に取り組む。
【００２５】
不動段階は、体重減少プログラムの第３の段階である。不動段階は、本実施の形態では８週間である第３の持続時間に及ぶ。この段階の間に、参加者は、遷移段階の開始時の健康アセスメントの結果に少なくとも部分的に基づいて決定される頻度でフィードバックを受け取る。不動段階は、ジャンプスタート段階及び遷移段階の間のエネルギー摂取処方と同一のエネルギー摂取処方も有する。しかしながら、参加者には、例えば、必要に応じて、ミールリプレイスメントシェイクの信頼性が更に制限された、不動段階の間に選択する増加した食事オプションが示される。
【００２６】
持続段階は、体重減少プログラムの第４の段階であるとともに最終段階である。持続段階は、本実施の形態では４週間である第４の持続時間に及ぶ。この段階の最初から最後まで、モバイル機器１０は、参加者に一連の質問を行い、その結果は、参加者が別の６カ月の体重減少プログラムに関心があるか否か又は参加者が最適な栄養摂取又は美容に関連する商品に関心があるか否かを決定するためにプロセッサ１６によって用いられる。その後、モバイル機器１０は、参加者から受け取った回答に基づいた関心のある商品を案内する的を絞ったフィードバックメッセージを提供する。
【００２７】
体重減少プログラムの間に、ミールリプレイスメントシェイクの信頼性が下がる。ジャンプスタート段階の間に、参加者は、１日ごとに二つのミールリプレイスメントシェイクを受け取るようにスケジュールされる。遷移段階の間に、参加者は、１日ごとに一つのミールリプレイスメントシェイクを受け取るようにスケジュールされる。不動段階の間に、参加者は、ミールリプレイスメントシェイクを受け取らなくてもよい又は必要に応じてミールリプレイスメントシェイクを受け取ってもよい。その代わりに、参加者には、エネルギー摂取処方に従って食事量ガイダンスが提供される。後にパートＶＩで説明するように、例えば、参加者には、カテゴリー（炭水化物、タンパク質、脂質）によって割り当てられた食事量が提供される。各カテゴリーの食事量割当てを順守することによって、参加者は、エネルギー摂取処方を順守し、体重減少予測モデルに従って体重を減少すると予測される。
【００２８】
体重減少プログラムは、定期的な隔週アセスメントを更に有する。不動段階の開始時に、隔週アセスメントは、モバイル機器１０に示され、持続的な体重減少の課題をもたらす参加者の身体活動及び生活上の出来事に関連する質問を含む。隔週アセスメントの結果を、（後に説明する）ＳｍａｒｔＴｉｐフィードバック及びＳｍａｒｔＬｏｓｓフィードバックの内容を決定するために用いることができるとともに体重減少プログラムを繰り返す際の関心を決定するために用いることができる。
【００２９】
ＩＩＩ．  体重減少追跡及び実行フラグ
図２に関連して説明したように、本実施の形態は、体重減少予測モデルを第１のアプリケーションウィンドウに視覚的に描写するモバイル機器１０においてホストされるグラフィカルユーザインタフェース１２を有する。第１のアプリケーションウィンドウは、体重減少予測モデルに重畳される経時的な複数の体重測定を更に描写する。後に説明するように、複数の体重測定は、接続された体重計１２からの体重測定及び／又は参加者により手動でモバイル機器１０に入力された体重測定を含む。
【００３０】
本実施の形態において、描写される体重測定のうちの最近のものを、実行フラグ４０として示す。実行フラグ４０は、体重減少予測モデルに適合した測定に基づいて複数の実行フラグの中から選択される。図３に示すように、複数の実行フラグは、第１の（緑色の）実行フラグと、第２の（黄色の）実行フラグと、第３の（赤色の）実行フラグと、を有する。異なる色を、所望に応じて他の実施の形態で用いることができる。次に、第１の実行フラグ、第２の実行フラグ及び第３の実行フラグを説明する。
【００３１】
緑色の実行フラグ４２は、一般的には、当日における体重減少予測モデルに対する適合を表す。本実施の形態において、描写される体重測定のうちの最近のものが順守域３４の範囲内にあり、前日の体重測定より小さく、かつ、上限３６より少なくとも予め決定された量（例えば、１ポンド）だけ小さい場合、緑色の実行フラグが示される。緑色の実行フラグは、図３に描写され、レ点を有する実線の緑色の円を有し、レ点を有する実線の緑色の円を、目標達成、例えば、マイルストーン体重減少、例えば、体重の減少量、体重の減少率及び体重減少の目的を達成したか否かに対する星印を有する実線の緑色の円４８に置換することができる。
【００３２】
黄色の実行フラグ４４は、一般的には、体重減少予測モデルに対する一般適合性が低いことを反映する複数の状況を表す。本実施の形態において、描写される体重測定のうちの最近のものが順守域３４の範囲内にあるが（ａ）前日の体重測定と略同一である場合、（ｂ）前日の体重測定より大きい場合、又は、（ｃ）上限３６の予め決定された量（例えば、１ポンド）の範囲内にある場合、黄色の実行フラグが示される。また、一例として、描写される体重測定のうちの最近のものが順守域３４の範囲内にあるが１週間で少なくとも０．５ポンドの割合の減少を表す場合、黄色の実行フラグが示される。黄色の実行フラグは、図３に描写され、感嘆符を有する実線の黄色の円を有するが、他の実施の形態では、感嘆符を有する実線の黄色の円と異なることができる。
【００３３】
赤色の実行フラグは、一般的には、参加者が少なくとも当日における体重減少予測モデルに適合していないことを表す。本実施の形態において、描写される体重測定のうちの最近のものが順守域３４より上であるとともに１週間で少なくとも０．５ポンドの割合で減少しない場合、赤色の実行フラグが示される。参加者の体重が直前の２週間うちの１０日以上に亘って下限３８より少なくとも５ポンド少ない場合にも、赤色の実行フラグが示される。さらに、参加者の肥満度指数（ＢＭＩ）が予め決定された最小ＢＭＩより下である場合、赤色の実行フラグが示される。赤色の実行フラグは、図３に描写され、ｘ印を有する実線の赤色の円を有するが、他の実施の形態では、ｘ印を有する実線の赤色の円と異なることができる。
【００３４】
図２に示すように、第１のアプリケーションウィンドウは、本実施の形態では１日ごとに１回の体重測定を描写するが、他の実施の形態において、第１のアプリケーションウィンドウは、１日ごとに多数回又は少数回の体重測定を描写する。体重データの手動入力については、参加者は、現在のカレンダーの日付及び以前のカレンダーの日付に体重データを手動で入力することができ、一度だけ体重データを編集してもよい。接続された体重計１２からの体重データについては、参加者は、現在のカレンダーの日付及び以前の日付に体重データを手動で入力することができる。しかしながら、図３に示すように、手動で入力した体重データ及び手動で編集した体重データは、接続された体重計１２からの編集されない体重データと異なるように視覚的に描写される。特に、手動で入力した体重データ及び手動で編集した体重データは、ダイヤモンド形状の実行フラグによって表され、接続された体重計１２から直接の体重データは、円形の実行フラグによって表される。特定の日、例えば、当日の消失した体重データは、破線の白丸によって第１のアプリケーションウィンドウに表される。
【００３５】
ＩＶ．  活動目標及び活動追跡
体重減少プログラムは、エネルギー摂取処方に関連する目標設定及び目標監視（ｇｏａｌ  ｍｏｎｉｔｏｒｉｎｇ）を設けるとともにエネルギー消費処方に関連する目標設定及び目標監視を設ける。図４に示すように、モバイル機器１０のグラフィカルユーザインタフェース２２は、活動目標及び活動追跡を第２のアプリケーションウィンドウ５０に視覚的に描写する。活動目標は、参加者がプログラムを進めるに従って徐々に上がる。換言すれば、活動は、参加者の最初の目標を確立するとともに体重減少プログラムの間に目標を徐々に上げることによって導入される。歩数目標及び歩数目標範囲として後に説明するように、活動目標は、他の実施の形態において他の活動を有することができる。
【００３６】
本実施の形態において、第２のアプリケーションウィンドウは、少なくとも二つの質問に対する回答に基づいて水平バー５２として示すような最初の歩数目標範囲を描写する。第１の質問は、典型的な一日の参加者の一般的な動きを判断する。例えば、典型的な一日が、大抵座っているか、座っているが毎時に立っているか、座っていることと立っていることが半々であるか又は大抵立っているかを参加者に問い合わせる。第２の質問は、典型的な日の参加者の一般的な活動レベルを判断する。例えば、参加者は、「低い身体活動」又は「高い身体活動」として分類される。これらの質問に対する回答に基づいて、参加者には、ジャンプスタート段階の少なくとも最初の２週間に亘る最初の歩数目標範囲が割り当てられる。本実施の形態において、歩数目標範囲は、参加者が一日のほとんどを座っているとともに低い身体活動を有する場合の２０００〜４０００歩、参加者が一日のほとんどを座っているとともに高い身体活動を有する場合の４０００〜６０００歩、参加者が一日のほとんどを座っているが毎時に立っているとともに低い身体活動を有する場合の５０００〜７０００歩、参加者が座っていることと立っていることが半々であるとともに低い身体活動を有する場合の５０００〜７０００歩、参加者が座っていることと立っていることが半々であるとともに高い身体活動を有する場合の７０００〜９０００歩、参加者がほとんど立っているとともに低い身体活動を有する場合の７０００〜９０００歩又は参加者がほとんど立っているとともに高い身体活動を有する場合の１００００歩を有する。他の実施の形態において、最初の歩数目標は、他の基準に基づくことができる。
【００３７】
上述したように、最初の歩数目標は、典型的な一週間の参加者の身体活動レベルに基づく。モバイル機器１０は、代謝当量（ＭＥＴ）計算に基づいて身体活動のレベルを決定する。ＭＥＴ計算は、特定の週に参加者が行う運動の強度、時間及び日数に基づく。軽い強度の運動に対して、ＭＥＴ値は、運動の分間及び日数の３．３倍である。適度な強度の運動に対して、ＭＥＴ値は、運動の分間及び日数の４．０倍である。激しい強度の運動に対して、ＭＥＴ値は、運動の分間及び日数の８．０倍である。低い身体活動と高い身体活動の間のＭＥＴしきい値は、本実施の形態では６００ＭＥＴに設定されるが、他の実施の形態において変えることができる。
【００３８】
ジャンプスタート段階の最初の２週間の終了時に、モバイル機器１０は、１日の平均歩数及び最初の２週間の実行フラグに基づいて新たな歩数目標又は「第１の修正歩数目標」を生成する。例えば、参加者が最初の２週間に１日おきに緑色の実行フラグのみを受け取った場合−体重減少プログラムへの適合を表す場合、第１の修正歩数目標は、最初の２週間における１日の平均歩数の１１０％であり、場合によっては、５００歩を切り上げる又は切り下げる。参加者が最初の２週間のいずれかの日に黄色の実行フラグを受け取った場合、第１の修正歩数目標は、最初の２週間における１日の平均歩数の１０５％であり、場合によっては、５００歩を切り上げる又は切り下げる。参加者が最初の２週間のいずれかの日に順守域３４より上である赤色のフラグを受け取った場合、第１の修正目標歩数を変更しない。
【００３９】
その後、モバイル機器１０は、この歩数目標を、先週からの実行フラグに基づいて１週間ごとに調整する。参加者が先週に全ての緑色のフラグを受け取るとともに現在の歩数目標を達成した場合、次の修正歩数目標は、現在の目標歩数の１１０％であり、場合によっては、５００歩を切り上げる又は切り下げる。参加者が先週のいずれかの日に黄色のフラグを受け取った場合、モバイル機器１０は、歩数目標を５％だけ挙げ、場合によっては、５００歩を切り上げる又は切り下げる。参加者が先週のいずれかの日に順守域３４より上である赤色のフラグを受け取った場合、モバイル機器１０は、現在の目標歩数を維持する。上述した歩数目標の調整は、体重減少プログラムの間に繰り返され、関係者の歩数の増加の目的は、１日ごとに平均１００００歩である。上述した歩数目標の調整は、体重減少プログラムの間に７日間の振り返りを行いながら７日目の終わりまで繰り返され、関係者の歩数の増加の目的は、体重減少プログラムの終わりまで１日ごとに平均１００００歩である。
【００４０】
繰り返しのために、本実施の形態は、ステップカウンタ１４によって計測される参加者の一日の平均歩数又はカロリー消費量測定装置１４によって測定される他の活動を第２のアプリケーションウィンドウ５０に視覚的に描写するとともに活動評価に基づいて第１の歩数目標５０を描写するモバイル機器１０においてホストされるグラフィカルユーザインタフェース２２を有する。２週間の終了時に、第２のアプリケーションウィンドウ５０は、第１の歩数目標を、一実施の形態において体重減少予測モデルに関連する参加者の測定した体重の適合の程度に基づく第２の歩数目標に置換する。その後、毎週、第２の歩数目標は、先週からの実行フラグの各々が緑色の実行フラグであることに応答した第１の割合の増加と、先週からの実行フラグのいずれか一つが黄色の実行フラグであることに応答した、第１の割合の増加より小さい第２の割合の増加と、先週からの実行フラグのいずれか一つが赤色の実行フラグであることに応答したゼロの増加と、を有する。このプロセスを、少なくとも参加者の一日の平均歩数が目標平均歩数、例えば、１日に１００００歩に到達するまで繰り返す。
【００４１】
Ｖ．  予めプログラムされたフィードバック
上述したように、モバイル機器１０は、効果的な行動修正ガイダンスを提供するように構成されるとともにスケジュールされる予めプログラムされたフィードバックを体重減少プログラムの一部として提供する。予めプログラムされたフィードバックは、本実施の形態では四つのカテゴリーのフィードバック：ＳｍａｒｔＴｉｐフィードバック、ＳｍａｒｔＬｏｓｓフィードバック、ＭｉｌｅＳｔｏｎｅフィードバック及びＡｄ  ｈｏｃフィードバックを含む。次に、各カテゴリーのフィードバックを説明し、その後、ＳｍａｒｔＴｉｐフィードバック及びＳｍａｒｔＬｏｓｓフィードバックの頻度を説明する。
【００４２】
ＳｍａｒｔＴｉｐフィードバックは、体重減少原理に関連した教材並びに体重減少の成功に影響を及ぼす栄養摂取要因、身体活動要因及び生活要因を提供する。ジャンプスタート段階の間に、ＳｍａｒｔＴｉｐフィードバックが（図２に示すように）選択可能なバナー５３として第１のアプリケーションウィンドウ３０に出現し、選択可能なバナー５３を選択したときに、ＳｍａｒｔＴｉｐフィードバックのための追加のアプリケーションウィンドウが開かれる。この段階の間に、選択可能なバナー５３に「ジャンプスタート」５２のラベルが付される。遷移段階の開始時に、選択可能なバナー５３は、健康的な食事、活動レベル、ストレスレベル、睡眠レベル、好み及び食事習慣のようなテーマを含む。これらのテーマの一部は、参加者によって経験される特定の障害を克服する際に参加者を支援するためにパートＩＩで説明した障害アセスメント（ストレス、睡眠、好み及び食事習慣）において識別された障害に関連する。不動段階及び持続段階の間に、選択可能なバナー５３に「不動」及び「持続」のラベルがそれぞれ付される。ＳｍａｒｔＴｉｐフィードバックは、ジャンプスタート段階の間にスケジュールされた頻度で供給される。その後、ＳｍａｒｔＴｉｐフィードバックは、上述した障害アセスメントの結果及び隔週のアセスメントの結果に応じた順番及び頻度で供給される。
【００４３】
ＳｍａｒｔＬｏｓｓフィードバックは、体重減少予測モデルの順守の程度に基づいて示される指導メッセージとして有益な内容を提供する。ＳｍａｒｔＬｏｓｓフィードバックの一例を、選択可能なバナー５４を体重減少予測モデルの下に描写する図６に示す。参加者がＳｍａｒｔＬｏｓｓフィードバックバナー５４を選択すると、モバイル機器１０は、当日に供給されるようにスケジュールされた対応する情報を有する別のアプリケーションウィンドウ５６を開く。ＳｍａｒｔＬｏｓｓフィードバックのコンテンツは、特定の日の実行フラグに依存するが、同一の包括的なテーマに関連する。例えば、ＳｍａｒｔＬｏｓｓフィードバックのコンテンツは、最近描写された体重測定が黄色の実行フラグ又は赤色の実行フラグではなく緑色の実行フラグを有する場合でも異なる。しかしながら、ＳｍａｒｔＬｏｓｓフィードバックのコンテンツは、一般的には、特定の日の実行フラグに関係なく同一のテーマに関連する。
【００４４】
ＳｍａｒｔＬｏｓｓフィードバックは、場合によっては不動段階及び持続段階の簡易健康アセスメントを含むこともできる。例えば、種々の準備、状態、社会的挑戦及びライフイベントを説明するステートメントを参加者に提供することができる。モバイル機器１０を用いることによって、参加者は、現在の状態を最もよく説明するステートメントを選択することができる。次にスケジュールされるＳｍａｒｔＬｏｓｓフィードバック及びＳｍａｒｔＴｉｐフィードバックのためのコンテンツを決定するためにプロセッサ１６によって選択を行うことができる。また、例えば、プログラムの次の段階におけるＳｍａｒｔＴｉｐフィードバック及びＳｍａｒｔＬｏｓｓフィードバックの順番を決定するためにプロセッサ１６によって選択を行うことができる。さらに、例えば、簡易健康アセスメントを、参加者が興味を持つ商品のタイプを決定するために適合させることができる。これらの商品に重点を置くために別のフィードバックを適合させることができる。
【００４５】
ＭｉｌｅＳｔｏｎｅフィードバックは、参加者が予め決定された体重減少マイルストーンに到達することに基づく。体重減少マイルストーンは、例えば、体重減少目標の予め決定された割合、例えば、体重減少目標の５％又は２０％への到達を含むことができる。ＭｉｌｅＳｔｏｎｅフィードバックは、本実施の形態ではＳｍａｒｔＬｏｓｓフィードバックに取って代わり、（図７に示すように）第１のアプリケーションウィンドウ３０において体重減少予測モデル３２の下の選択可能なバナー５８として出現する。他の実施の形態において、ＭｉｌｅＳｔｏｎｅフィードバックは、ＳｍａｒｔＬｏｓｓフィードバックと共に示される。参加者が第１のアプリケーションウィンドウ３０のＭｉｌｅＳｔｏｎｅフィードバックバナー５８を選択すると、モバイル機器１０は、対応するマイルストーン及び体重減少プログラムの次にスケジュールされたマイルストーン６２の表示を有する別のアプリケーションウィンドウ６０を開く。
【００４６】
Ａｄ  ｈｏｃフィードバックは、休日、イベント、プロモーション及びチャレンジの間の体重減少のようなトピックスに重点を置く。Ａｄ  ｈｏｃフィードバックは、障害分析の関数又は実行フラグの関数として生成されない。その結果、体重減少プログラムの全ての参加者は、障害判断の結果又は体重減少予測モデルの順守の程度に関係なくＡｄ  ｈｏｃフィードバックを受け取る。
【００４７】
ＳｍａｒｔＴｉｐフィードバックの頻度は、一般的には、体重減少プログラムの段階に依存する。ジャンプスタート段階の間に、参加者は、予め決定されたＳｍａｒｔＴｉｐフィードバックを３日ごとに受け取る。体重減少プログラムの後の段階の間に、参加者は、予め決定されたＳｍａｒｔＴｉｐフィードバックを１週間に１回受け取る。ＳｍａｒｔＴｉｐフィードバックのコンテンツは、最初の障害アセスメントの結果に基づいて、場合によっては（略）隔週の障害アセスメントに基づいて、例えば、運動に関する隔週の障害アセスメントに戻づいて決定される。
【００４８】
ＳｍａｒｔＬｏｓｓフィードバックの頻度も、一般的には、体重減少プログラムの段階に依存する。本実施の形態において、参加者は、ジャンプスタート段階の間に、ＳｍａｒｔＬｏｓｓフィードバックを３日ごとに受け取る。体重減少プログラムの後の段階の間に、参加者は、体重減少予測モデルの適合の程度に応じて少ない頻度でＳｍａｒｔＬｏｓｓフィードバックを受け取る。例えば、参加者は、描写された体重測定が緑色の実行フラグを含む場合に少ない頻度で（例えば、１週間のうちの１日目、３日目及び７日目ではなく１週間のうちの３日目及び７日目に）ＳｍａｒｔＬｏｓｓフィードバックを受け取る。代替的には、プロセッサ１６は、次回の期間のフィードバックの頻度を決定するために以前の期間からの履歴データに関心を寄せる。例えば、参加者が先週から緑色の実行フラグのみを受け取った場合、次週のＳｍａｒｔＬｏｓｓフィードバックを、少ない頻度に、例えば、１週間のうちの３日目及び７日目に設定することができる。プロセッサ１６が、参加者が特定の期間中に黄色又は赤色の実行フラグを毎日受け取ったことを決定する場合、モバイル機器１０は、体重減少予測モデルの順守の動機付けを参加者に与えるためにＳｍａｒｔＬｏｓｓフィードバックを示すことができる。
【００４９】
繰り返しのために、上述したフィードバックの頻度は、予めプログラムされたフィードバックが予測可能となりすぎないように可変である。例えば、ＳｍａｒｔＬｏｓｓフィードバックの頻度は、実行フラグに依存する。このフィードバックは、ユーザが選択可能なバナーとして第１のアプリケーションウィンドウ３０に描写され、ユーザが選択可能なバナーを選択したとき、スケジュールされたフィードバックコンテンツを提供する。体重減少プログラムの終了時付近において、ＳｍａｒｔＬｏｓｓフィードバックは、最適化された栄養、最適化されたスポーツ栄養又は健康及び美容に関連した製品に関するガイダンスを、体重減少プログラムを繰り返す機能と共に含む。
【００５０】
最後に、図８及び図９は、各々が第１のアプリケーションウィンドウ３０のメニュー６４から選択可能であるモバイル機器１０に示される別のアプリケーションウィンドウ６６，７４を開示する。図８は、参加者の履歴データを有するアプリケーションウィンドウ６６を描写する。履歴データは、ポンド及び参加者の開始時の体重に対する割合の両方としての今までの体重減少を含む。履歴データは、現在の歩数６８、体重減少プログラムの現在の段階、選択した体重減少目標７０及び任意のバッチ又は達成７２も含む。図９は、指導データを有するアプリケーションウィンドウ７４を描写する。指導データは、最近のＳｍａｒｔＴｉｐ７６、障害ＳｍａｒｔＴｉｐ７８並びに一人前の食事量及び食事計画についての一般情報を含む。参加者は、メニュー６４から第１のアプリケーションウィンドウ３０に戻ることができ、これは、アプリケーションウィンドウ３０の上のメニュー６４と同じである。
【００５１】
Ｖ．Ｉ  食事量追跡
図１０を参照すると、体重減少プログラムは、上述したエネルギー摂取処方に従った食事量追跡を行うための別のアプリケーションウィンドウ８０を提供する。上述したように、エネルギー摂取処方は、体重減少プログラムの開始時の参加者の体重、参加者の目標体重／目標体重減少及び所定の生体データ（例えば、性別、年齢及び身長）の関数として決定される。エネルギー摂取処方は、タンパク質、炭水化物及び脂質に分解される毎日の推奨されるカロリー摂取を含む。毎日の推奨されるカロリー摂取は体重減少プログラムの間に一定のままであるが、参加者は、参加者の好みに従ってバランスプラン、減少炭水化物プラン及び減少脂質プランの中から選択することができる。
【００５２】
更に具体的には、参加者は、図１０に描写されたアプリケーションウィンドウ８０のタッチアイコン８２を選択することによって食物摂取を追跡することができる。タッチアイコン８２は、食物、例えば、例示した実施の形態の卵、トースト及びニンジンを手動で入力するための別のウィンドウ（図示せず）を開く。その後、プロセッサ１６は、サブウィンドウ８４に表示されるタンパク質の分量、炭水化物の分量又は脂質の分量の対応する数を決定する。当日の分量の総数を、図１０に描写されたアプリケーションウィンドウ８０の上部８６に示す。有意義なカロリー量のない食物は、毎日のエネルギー摂取処方に対してカウントしない「フリー」食物として記録される。当日の分量の総数を超える場合、アプリケーションウィンドウ８０は、参加者に対する警告メッセージを生成する。当日の水分摂取もアプリケーションウィンドウ８０に示し、それを、適切なサブウィンドウ９９をタッチすることによって手動で更新することができる。上述した食物及び飲料データを、本実施の形態ではローカルメモリ２４に保存するが、他の実施の形態においてサーバ１７に保存することができる。
【００５３】
図１０に示すアプリケーションウィンドウ８０のメニュー矢印９０の選択に応答して、モバイル機器は、図１１及び図１２に示すアプリケーションウィンドウ９２を表示し、アプリケーションウィンドウ９２は、明瞭のために二つの図に分けられる。図１１のアプリケーションウィンドウ９２は、現在の食事計画（本例では、「バランスオプション」）を特定し、現在の食事計画の下での特定の日に割り当てられる分量の分析を示す円グラフを表示する。本例において、参加者には、四つの分量のタンパク質、八つの分量の炭水化物、二つの分量の脂質及び無制限の分量のフリー食物が割り当てられる。図１１に示すアプリケーションウィンドウは、各食物群に対する一人前の分量のガイダンス９６も含む。上述したように、選択される食物プランを、バランスプラン、減少炭水化物プラン及び減少脂質プランとすることができる。参加者は、図１１の矢印９８を選択することによって体重減少プログラムのどの時点でもこれらのプランの間の切替を行うことができる。上述したように図１１のアプリケーションウィンドウ９２の延長部である図１２を参照すると、アプリケーションウィンドウは、参加者が健康的な食品選びを行うことを支援する文書のガイダンス１００も提供し、文書のガイダンス１００は、少なくとも部分的に以前のアセスメントに基づく。
【００５４】
グラフィカルユーザインタフェース２２は、プロセッサ１６又はサーバ１７によって提案されるレシピも表示し、レシピは、参加者の生体データ及び／又は体重減少の進み具合に基づく。レシピは、四つのカテゴリー：朝食、昼食、夕食及び間食に分割される。レシピは、低脂肪ダイエット、低炭水化物ダイエット又は菜食を含む参加者の食事療法の好み及び参加者の文化的背景を考慮する。参加者は、迅速な検索のために好みのレシピをメモリ２４に保存することができる。グラフィカルユーザインタフェース２２は、炭水化物、脂質及びタンパク質への分解を含む各レシピの栄養スコアも表示し、レシピの画像又は写真を参加者に示す。
【００５５】
ＶＩＩ．  ソーシャルメディアシェアリング
図１３及び図１４を参照すると、体重減少プログラムは、体重減少結果をソーシャルメディアに公表する複数の機会を参加者に提供する。特に、図１３に示す第１のアプリケーションウィンドウ３０は、選択した場合に第１のアプリケーションウィンドウ３０によって複数のシェアリングオプション１０４を生成させるシェアリングアイコン１０２を有し、複数のシェアリングオプション１０４はそれぞれ、異なるコンテンツを有する。すなわち、各シェアリングオプション１０４は、ソーシャルメディアに公表する複数の体重減少レポートを有する。体重減少レポートは、体重減少予測モデルの全体、体重減少予測モデルの一部又は当日の実行フラグを有する。一度選択が行われると、モバイル機器は、図１４に示すポップアップウィンドウ１０６を介してソーシャルメディアに体重減少レポートを公表し、所望の場合に他の人がコメント及びタグを付ける機会を与える。
【００５６】
グラフィカルユーザインタフェース２２は、体重減少プログラムの二人以上の参加者のチャレンジも含む。チャレンジによって、参加者は、他の参加者の体重減少プログラム（又は他のデータ）をモバイル機器１０で見ることができ、各参加者は、動画、静止画及びテキストの形態で互いにメッセージを送信することができる。参加者は、チャレンジの期間を設定することができる。チャレンジ内の成功の結果、参加者は、賞、例えば、デジタルバッジを受け取る。チャレンジャーを１対１のチャレンジャー又はチームチャレンジャーとすることができる。チームチャレンジャーの場合、チームリーダーは、チームメンバーデータと、共有チームデータ（ｃｏｌｌｅｃｔｉｖｅ  ｔｅａｍ  ｄａｔａ）と、体重減少の進み具合に基づく個人ランキングとに対するアクセスを有する。リーダは、動画、静止画及びテキストの形態でチームにメッセージを送信することもできる。
【００５７】
したがって、本実施の形態は、体重減少ガイダンス及び活動追跡をモバイル形式で提供する統合システムを提供する。本実施の形態において、統合システムは、モバイル機器においてホストされる体重減少プログラムを有する。体重減少プログラムは、エネルギー摂取処方及びエネルギー消費処方を有するとともに実行フラグ及びモバイル機器において視覚的に描写される種々のフィードバックを有する。モバイル機器は、リアルタイムの体重追跡及び歩数計測を行うために接続された体重計及び接続されたステップカウンタと組み合わされる。体重減少プログラムは、参加者がプログラムの持続時間の間の活動レベルを上げながら持続的な体重減少を次第に実現するのを支援するように構成される複数の段階に及ぶ。他の実施の形態は、本実施の形態と異なるが、それは、限定を意図しない。
【００５８】
「垂直」、「水平」、「上部」、「底部」、「上側」、「下側」、「内側」、「内部」、「外側」及び「外部」のような方向に関する用語は、図示した実施の形態の向きに基づいて発明を説明するのに役立てるために用いられる。方向に関する用語は、発明を特定の（一つ以上の）向きに限定するものと解釈すべきでない。
【００５９】
上記の説明は、本発明の本実施の形態の説明である。均等論を含む特許法の原則に従って解釈される特許請求の範囲で規定される本発明の精神及びより広い側面から逸脱することなく種々の変更及び変形を行うことができる。本開示は、説明のために示され、本発明の実施の形態の包括的な説明として解釈されるべきではなく、特許請求の範囲をこれらの実施の形態に関連して図示又は説明した特定の構成要素に限定するものと解釈されるべきではない。例えば、限定を行うことなく、説明した本発明の個別の構成要素を、実質的に同様な機能を提供する又は十分な動作を行う代替的な構成要素に置き換えてもよい。これは、例えば、当業者に現在知られている構成要素のような現在既知の代替的な構成要素及び当業者が開発の際に代替物と認識することができる構成要素のような将来開発される代替的な構成要素を含む。さらに、開示した実施の形態は、同時に説明されるとともに利益の集積を共同的に提供することができる複数の特徴を含む。本発明は、取得した特許で明示的に説明される場合を除いてこれらの特徴の全てを含む又は述べられた利益の全てを提供する実施の形態のみに限定されない。例えば、「一つ」、「その」又は「前記」（ａｒｔｉｃｌｅｓ“ａ”，“ａｎ”，“ｔｈｅ”  ｏｒ  “ｓａｉｄ”）を用いる単数形の特許請求の範囲の構成要素への言及は、構成要素を単一のものに限定するものと解釈すべきでない。
【図１】
2020513119.tif 000003
【図２】
2020513119.tif 000004
【図３】
2020513119.tif 000005
【図４】
2020513119.tif 000006
【図５】
2020513119.tif 000007
【図６】
2020513119.tif 000008
【図７】
2020513119.tif 000009
【図８】
2020513119.tif 000010
【図９】
2020513119.tif 000011
【図１０】
2020513119.tif 000012
【図１１】
2020513119.tif 000013
【図１２】
2020513119.tif 000014
【図１３】
2020513119.tif 000015
【図１４】
2020513119.tif 000016
【国際調査報告】
2020513119.tif 000017
2020513119.tif 000018